(57)【要約】  本発明は、表面積が０．７ｍ２より大きい一体式のガラス材料から作られた少なくとも１つの基材から形成された少なくとも１つのワークトップであって、該基材が１０を超える明度Ｌ＊、６０％未満の光透過率ＴＬ、３０を超える不透明度、及び該当する場合には１５％を超える曇り度を有する、少なくとも１つのワークトップと、少なくとも１つの光源、特に、前記基材の１つ以上の領域又は１つ以上の要素又は表示を、特に投射により、生じさせることが意図されている少なくとも１つの光源と、前記ワークトップの少なくとも１つの要素との、例えば光源などとの、及び／又は、該当する場合、無線通信のための少なくとも１つの外部要素との、通信のための少なくとも１つのインターフェースと、を含み、追加で加熱要素を含まない、有利には双方向型である、什器／家庭用設備機器に関する。
2018529071.tif 000002
【特許請求の範囲】
【請求項１】
下記のものを含み、追加で加熱要素を含まない、有利には双方向型である、什器及び／又は家庭用設備機器：
・表面積が０．７ｍ２より大きい一体式のガラス材料から作られた少なくとも１つの基材から形成された少なくとも１つのワークトップであって、前記基材が、１０を超える明度指数Ｌ＊、６０％未満の光透過率ＴＬ、３０を超える不透明度、及び該当する場合には１５％を超える曇り度を示す、少なくとも１つのワークトップ、
・少なくとも１つの光源、特に、前記基材の１つ以上のゾーン又は１つ以上の要素もしくは表示を、特に投射により、目立つようにすることが意図されている少なくとも１つの光源であって、例えば前記基材の真上にある、少なくとも１つの光源、
・前記トップの少なくとも１つの要素との、例えば光源との、及び／又は、該当する場合には無線通信のための少なくとも１つの外部要素との、通信のための少なくとも１つのインターフェース。
【請求項２】
ガラス材料から作られた前記基材の前記表面積が０．９ｍ２を超え、特に１ｍ２を超え、とりわけ少なくとも２ｍ２であり、前記基材の厚さが少なくとも２ｍｍ、特に少なくとも２．５ｍｍ、とりわけ約３〜３０ｍｍ、有利には１５ｍｍ未満であり、とりわけ約３〜１５ｍｍ、特に３〜１０ｍｍであることを特徴とする、請求項１記載の設備機器。
【請求項３】
ガラス材料から作られた前記基材が、前記ワークトップの表面積の少なくとも５０％、特に少なくとも７０％、とりわけ少なくとも９０％を占めることを特徴とする、請求項１又は２記載の設備機器。
【請求項４】
前記基材が強化ガラス又はガラスセラミックから作られたものであり、好ましくはガラスセラミックから作られたものであることを特徴とする、請求項１〜３のいずれか１つに記載の設備機器。
【請求項５】
前記基材が、該基材の対角線の０．１％未満の平坦度、好ましくは３ｍｍ未満、特に２ｍｍ未満、とりわけ１ｍｍ未満、実際のところさらにはほぼ０の平坦度を示すことを特徴とする、請求項１〜４のいずれか１つに記載の設備機器。
【請求項６】
前記基材が、不透明であり及び／又はあまり透過性でなく、且つバルクで彩色又は着色されていて、この色合いには、白色及び明度指数Ｌ＊が１０より大きい任意の色が含まれ、より暗い色、例えば黒色又は暗褐色、は除外され、そして該基材は好ましくは、１３を超え、有利には９７以下の明度指数Ｌ＊、及び／又は該当する場合５０％を超える曇り度、及び／又は５０％未満の光透過率ＴＬ、及び／又は９０を超え１００以下の不透明度を示し、ガラス材料で作られた該基材が有利にはこれらの特性を本質的に示し、該基材を形成しているガラス材料が有利には半透明又は不透明であることを特徴とする、請求項１〜５のいずれか１つに記載の設備機器。
【請求項７】
前記基材又は前記ガラス材料が、着色剤を含み、及び／又はそれ自体の色合いとは異なる色合いをそれに付与するコーティングを備えていることを特徴とする、請求項１〜６のいずれか１つに記載の設備機器。
【請求項８】
１つ以上のゾーン及び／又は要素及び／又は機能及び／又は装飾を、１つ以上の光源により、及び／又は、例えばエナメルにより作られた、恒久的な装飾により、作動時に及び／又は恒久的に表示することを特徴とする、請求項１〜７のいずれか１つに記載の設備機器。
【請求項９】
１つ以上のゾーン及び／又は要素及び／又は機能及び／又は装飾を、少なくとも１つの光源により、該光源の作動時に表示及び／又は明示し、該光源は前記基材の上方に配置され、又は前記基材の目に見える面の側に配置され、又は表示が所望されるもしくは見られるべき側に配置されて、スクリーンを形成するこの面への投射による光表示を可能にしており、該光源は特に前記基材の下に配置されて、前記ワークトップを透過することによる光表示を可能にすることを特徴とする、請求項８記載の設備機器。
【請求項１０】
前記基材が少なくとも５％の光透過率ＴＬを示すこと、及び、１つ以上のゾーン及び／又は要素及び／又は機能及び／又は装飾を、少なくとも１つの光源により、該光源の作動時に表示及び／又は明示し、該光源を前記基材の下に配置して停止時に前記基材により隠し、該光源が前記ワークトップを透過することによる光表示を可能にすることを特徴とする、請求項８記載の設備機器。
【請求項１１】
前記光源又は他の構成要素が、前記トップの表面及び／又は前記インターフェース及び／又は外部ユニットへの接触により、又は動作、特に手の動作により、作動可能であることを特徴とする、請求項１〜１０のいずれか１つに記載の設備機器。
【請求項１２】
いくつかの光源を含み、該光源が、前記ワークトップを使用する人により投げかけられる影の影響を最小限にするため、各光源又は前記ワークトップに向けて光を送る各要素と、前記ワークトップに対する法線との間の角度が５°と６０°の間、好ましくは３０°と４５°の間となるように配置されることを特徴とする、請求項１〜１１のいずれか１つに記載の設備機器。
【請求項１３】
前記インターフェースが、無線通信、特に前記ワークトップの外部のユニットとの無線通信を可能にし、例えば、光源の遠隔作動及び／又は種々の機能の制御を可能にし、該外部のユニットは、例えば、キーボード、タブレット、タッチスクリーン又は携帯電話の形をしていて、このユニットは静止型又は移動可能であることができ、前記無線通信が、例えば、限定された範囲のもの、例えば、該設備機器が位置する空間の容積に限定された範囲のものであることを特徴とする、請求項１〜１２のいずれか１つに記載の設備機器。
【請求項１４】
前記インターフェースが、種々の構成要素を作動させるために、接触又は動作により開始される種々の信号を送ることを可能にし、及び／又は、例えばインターネットページ、スクリーンの背景又は調理レシピなどの、データのダウンロード及び／又は送信を可能にし、これらのデータを例えば、前記光源へ送信して、特に前記ワークトップの表面にそれらを表示することを可能にすることを特徴とする、請求項１〜１３のいずれか１つに記載の設備機器。
【請求項１５】
前記ワークトップが、例えばエナメル又は塗料又は薄い層をベースとする、１つ以上の機能性及び／又は装飾性コーティングを含むことを特徴とする、請求項１〜１４のいずれか１つに記載の設備機器。
【請求項１６】
前記ワークトップが、少なくとも１つ以上の支持要素上に、例えば什器のケーシング又は１つ以上の支持脚などの上に、特に水平に、取り付けられ、こうして該支持要素とともに、テーブル、途切れのない又は途切れありの什器、又はカウンターを形成していることを特徴とする、請求項１〜１５のいずれか１つに記載の設備機器。
【請求項１７】
０．７ｍ２を超える表面積を有する一体式ガラス材料から作られた少なくとも１つの基材から形成されたワークトップであって、前記基材が、１０を超える明度指数Ｌ＊、６０％未満の光透過率ＴＬ、３０を超える不透明度、及び該当する場合には１５％を超える曇り度を示し、このワークトップは、特に請求項１〜１６のいずれか１つに記載の、加熱要素なしの多用途向け双方向型の什器又は設備機器に備え付けることを意図したものである、ワークトップ。
【請求項１８】
０．７ｍ２を超える表面積を有する一体式ガラス材料から作られた基材であり、１０を超える明度指数Ｌ＊、６０％未満の光透過率ＴＬ、３０を超える不透明度、及び該当する場合には１５％を超える曇り度を示す基材、特にプレートの、請求項１７記載の、及び／又は請求項１〜１６のいずれか１つに記載の設備機器における、設多用途向け双方向型ワークトップとしての使用。
【発明の詳細な説明】
【技術分野】
【０００１】
本発明は、種々の用途を目的とした安定な表面を提供するために、１つ以上の支持要素（什器のケーシング、支持脚）上に水平に配置された又は配置されるように意図された少なくとも１つの大型プレートから形成された、ワークトップ又はワークテーブル又はカウンター又は什器に関する。詳細には、本発明は、種々の行為及び／又は物品に対する支持を同時に又は順次に行うことを可能にすることができる（使用位置において概して水平な）表面又は台（この表面又は台はこうしてワークトップとして知られるものを形成する）を有するテーブル又は什器に関する。
【背景技術】
【０００２】
ワークトップを製造するために通常使用される材料は、例えば、木材、石英、Ｃｏｒｉａｎ（登録商標）などである。さらに、食品の調理のために、キッチンには特に専門的用途のための大型調理表面が存在し、これらのプレートは一般に金属及び／又は複合材のプレートである。とりわけ、ストーンウェアなどのセラミック層又は材料をベースとする、あるいはアルミニウムタイプの金属層又は材料をベースとする、あるいはベークライトタイプの絶縁プラスチック層又は材料をベースとする、多層パネルが存在し、これらのパネルは一般に大きい（例えば約１２ｍｍ程度の）厚さを有し、生産するのが煩雑である。
【０００３】
同時に、より限定された寸法の強化ガラス又はガラスセラミックタイプの材料から作られたクックトップ（特に、一般に０．４ｍ２未満の表面積を有するもの。より大きな表面積を有するプレートは、普通に使用される方法で得ることがより難しくて、平坦性、取扱性などの点で問題を呈する可能性がある）が、特に家庭用途向けに存在し、ガラスセラミック材料の使用は、特にこの用途向けのこの材料の性能特性及び製造されるプレートの魅力的な外観のために、近年調理板向けに普及してきた。
【０００４】
現在のところ、種々のタイプのガラスセラミックプレートが存在しているが、これらのプレート及び／又はそれらを製造する方法を所望の特性に対して好ましくない影響を及ぼす危険性なしに変更することは非常に問題があることから、それぞれの改良型が広範囲にわたる研究及び多数の試験の結果得られている。調理板として使用することができるためには、ガラスセラミックプレートは一般に、可視領域の波長に透過性を示さなければならず、その透過性は、下にある加熱要素の少なくとも一部をそれが停止したときに隠蔽するように十分に低いとともに、状況（輻射加熱、誘導加熱など）に応じて、使用者が安全のために作動状態の加熱要素を視覚的に検出することができるように十分に高いものであって、特に輻射加熱要素を有するプレートの場合には、赤外線領域の波長においても高い透過性を示すべきである。このように設計されたプレートは、調理台としての使用のみを目的としていて、従来は、食品の調理のために使用される耐熱性調理用具以外の物品を受け取ることを目的としておらず、また、食品の調理以外の行為を目的としてもいなかった。
【発明の概要】
【発明が解決しようとする課題】
【０００５】
本発明は、より多様な用途を可能にする新規タイプの双方向型製品を開発することによって、既存の家庭用設備機器の範囲を家庭用又は業務用向けの用途に広げることを追求したものである。
【課題を解決するための手段】
【０００６】
この目的は、有利には双方向型である、本発明による新規の設備機器又は物品又は装備によって達成され、この什器／家庭用設備機器（又は家具）は、以下のものを含み、追加で加熱要素を含まない。
・表面積（最も大きい寸法を有する面の長さ×幅）が０．７ｍ２より大きく、有利には本質的に平坦である、一体式の（又はモノブロックの又は１つのみの支持体を有する）ガラス材料から作られた（あるいはそれをベースとするか又はそれから本質的になる）（好ましくはガラスセラミック製である）少なくとも１つの基材（特にプレート又は表面又は台）から形成された少なくとも１つのワークトップ（又はワークカウンター又はワークテーブル）であって、前記基材が、１０を超える明度指数（又は明度）Ｌ＊、６０％未満の光透過率ＴＬ、３０を超える不透明度、及び該当する場合には１５％を超える曇り度を示す、少なくとも１つのワークトップ（又はワークカウンター又はワークテーブル）。
・少なくとも１つの光源、特に、基材の１つ以上のゾーン又は１つ以上の要素又は表示を、特に基材を通り抜ける光の透過により、とりわけ投射により、目立つようにする（又は区分する、又は目に見えるようにする）ことが意図されている少なくとも１つの光源であって、例えば基材の真上にある、少なくとも１つの光源。
・前記トップの少なくとも１つの要素との（例えば光源との）、及び／又は、該当する場合、無線通信のための少なくとも１つの外部要素（前記トップの外部にある）との、例えば外部モジュール（ユニット、デバイス）との、通信のための、少なくとも１つのインターフェース。
【０００７】
開発された本発明による製品は所望の目的を満たし、本発明はこのようにして、新規の（特に照明及びゾーンもしくはデータの表示などの、機能の作動を可能にする）双方向型設備機器を提供し、それは任意の居住空間において使用することができる。このワークトップは、途切れのない又は途切れのある什器、テーブル、カウンターなどの一部を形成することが可能であり、このワークトップは、種々の使用目的の安定な表面を提供するため、１つ以上の支持要素（什器のケーシング、支持脚）上に（とりわけその一番上に）水平に取り付けられるか又は取り付けることができ、本発明によるワークトップ又は設備機器は、行為（例えば、作業、ゲーム、読書など）、物品（例えば、紙片、コンピュータ、花瓶、皿など）の支持、また、高温であることもある容器を、とは言えワークトップの表面に損傷を与えず、あるいはその場での加熱要素の作動が火傷を引き起こす危険なしに、置くことを、同時に又は順次に、行うことを可能にできる連続の上面を提供する。組み込まれた加熱要素がないということは、設備機器をより安全に使用するようにする追加の安全要素を構成し、また、熱に敏感である可能性があり、とりわけ加熱要素を繰り返し使用する間に生じ得る熱への長期の暴露に敏感であり得る、設備機器の他の構成要素の寿命を延ばすことを可能にする。それゆえ、本設備機器は、調理プレート又は高温に耐えることが意図された製品（例えばファイアスクリーン）として従来から使用されているガラスセラミックタイプの材料を従来のように使用するのとは対照的に、標準的に高温用途を対象とするこの材料を、加熱要素と組み合わせない、又は様々なコンロのバーナーにさらされない、逆の用途／反対の用途向けとするが、それでもなおもこの材料は、それをこの新規の用途又はこの新規の設備機器に特に適切なものにするいろいろの利点を提示する。驚くべきことに、加熱要素なしのガラスセラミックの表面を、社交交流用の単純な表面として使用することは、特に有利なことである（とりわけ、使用条件に関わらず、保守、耐久性などの点で）。
【０００８】
より一般的に言えば、本発明は、表面積が０．７ｍ２より大きい一体式のガラス材料から作られた少なくとも１つの基材から形成されたワークトップにも関し、当該基材は、１０を超える明度指数Ｌ＊、６０％未満の光透過率ＴＬ、３０を超える不透明度、及び該当する場合には１５％を超える曇り度を示す。このワークトップは、特に本発明により上記に規定されるように、多目的の双方向型什器又は設備機器（加熱要素なしのもの）（先行の段落で挙げたような複数の用途を目的とするもの）に備え付けようとするものである。
【０００９】
本発明はまた、０．７ｍ２より大きな表面積を有する一体式ガラス材料から作られた基材、特にプレート、であって、１０を超える明度指数Ｌ＊、６０％未満の光透過率ＴＬ、３０を超える不透明度、及び該当する場合には１５％を超える曇り度を示すものを、先の段落で言及したような多目的の双方向型ワークトップとして使用することにも関する。
【００１０】
上記のとおり、ワークトップは、一体式ガラス材料から作られた大型基材又はプレートから形成される（このガラス材料は単一のブロックから形成され／単一の部品として形成されているが、とは言いながら基材は、該当する場合には、美的又は機能的目的のために、一般に形成された後に一部分に作られる凹部を有することもできる）。このような大型の一体式プレートの利点は特に、見栄えがよくて保守が容易な主として連続／均一／継ぎ目なしの表面を提供すること、そしてまた使用するのがより快適であり且つより安全である（液体をこぼしたときの非浸透性の点などで）ことなどである。基材は、本質的に、さらに実際には専ら、ガラス材料を含み、該当する場合には、後に明らかに示すように、この基材／ガラス材料は薄い装飾性又は機能性コーティング（特に、厚さが約数十ナノメートルから数百ミクロン程度であり、実際のところさらに厚い）を備えることができ、コーティングは、例えばエナメル、塗料、薄層などから作られる。
【００１１】
特にガラスセラミックの分野の実情とは対照的に、このガラス材料（それから作られる基材）は大型であり、その表面積（最も大きな寸法を有する面についてのものであって、一般には目に見えること及び（家庭用又は作業用の）物品のための支持体として働くことが意図されているその上面についての、その長さ×その幅の積に相当するもの）は０．７ｍ２を超える大きさであり、好ましくは０．９ｍ２を超え、特に１ｍ２を超え、とりわけ２ｍ２以上である。実際のところ、大きなプレートの製造は、特にガラスセラミックの場合、平坦さ及び取り扱いに関して多くの問題を提起する。本発明においては、大型プレートを、たとえ良好な平坦さを示すものであっても、本発明による方法において後述するように、０．４ｍ２未満の通常の寸法のガラスセラミックプレートを得るために普通に使用される通過速度（又は、標準的なセラミック化炉の長さ又は炉内の標準的な滞留時間）に対して、速度を低減することにより（あるいは炉を長くし又は滞留時間を増加することにより）、有利に得ることができる。
【００１２】
本発明において、ガラス材料から作られた基材は、有利には、このように種々の目的のために使用することが意図されるワークトップ又はその表面もしくは面（一般には、使用位置での上面）の主要部分（少なくとも５０％）を、実際のところさらにはすべてを、形成する。本発明では、特に、ガラス材料から作られた基材は、ワークトップの表面の少なくとも５０％、特に少なくとも７０％、とりわけ少なくとも９０％（一般に、目に見えること及び物品の支持体として使用されることが意図された上面で測定して）を占めるのが有利であり、そしてそれは一般にはワークトップの全表面を占める。ワークトップの表面は、考慮中の面（一般には、目に見えること及び物品の支持体として働くことが意図される上面）上でワークトップにより占められる途切れのない表面（可能性のある凹部（例えばシンクを取り込むために上部にある凹部など）により占められるものを除いてそれが占める表面）と理解され、実際のところさらには、特に、ワークトップの長さ×その幅の積に相当する全体としての表面と理解される。什器のタイプにより（特に、ワークトップがその面のうちの１つのもの、一般に上面、の全体を占める什器、例えばテーブル、台所の中央に置かれた調理台又は単純なワークトップ、の場合において）、ガラス材料から作られた基材は、このように、什器の１つの面、特に上面（使用位置での）の表面の少なくとも５０％、特に少なくとも７０％、とりわけ少なくとも９０％を占めることができ、実際のところさらには前記表面のすべてを占めることができる。
【００１３】
有利には、ガラス材料から作られた基材はワークトップの少なくとも５０％、特に少なくとも７０％、とりわけ少なくとも９０％、実際のところさらには全体を形成し、別の言い方をすると、ワークトップ（一般に什器の上面にあり、又は上面を形成している）は、ガラス材料（このガラス材料は好ましくはガラスセラミックである）から作られた基材から主として（少なくとも５０％、特に少なくとも７０％、とりわけ少なくとも９０％が）形成され、特にそれから全体が（又はそれだけで）、形成されている（あるいは構成され、又はそれからなっている）。
【００１４】
本発明による基材／ガラス材料は、有利には平坦であり（又は大部分が又は実質的に平坦であり）、特に、基材の対角線の０．１％未満の平坦度（基材の平均平面に関して基材の最も高い箇所と最も低い箇所の間の高さであって、美的又は機能的目的で基材上に作られる可能性のある意図的な任意の変形を除外する）を示し、そして基材の大きさ／表面積／対角線に応じて、好ましくは３ｍｍ未満、特に２ｍｍ未満、とりわけ１ｍｍ未満、実際のところさらには約０である平坦度を示し、この平坦度はＶｉｓｕｏｌ社により販売されるＳｕｒＦｌａｔ標準うねり計を用いて測定される。基材は、一般に幾何学的形状であり、特に長方形、実際のところさらには正方形、実際のところさらには円形又は楕円形などであり、そして一般に、使用位置において「上」面（可視である面）、使用位置において別の「下」面（一般にワークトップを取り込んだ什器の骨組み又はケーシングで隠蔽される）、及び端面（あるいは端部又は厚さ）を有する。上面は、一般に平坦で且つ滑らかであるが、少なくとも１つの突出ゾーン及び／又は少なくとも１つの陥凹ゾーン及び／又は少なくとも１つの開口部及び／又は面取りした端部などを有してもよく（これらの形状は基材の製造の間に、例えば圧延、重力曲げ又はプレスなどにより加えられたもの、あるいはオフライン操作で加えられたものである）、これらの形状における変異は、プレートにおける連続的な変化を（材料の変更又は接合部なしに）有利に構成する。下面は、特に滑らかであることができ、又は機械的強度を増加させるティアドロップを備えることができ、例えば圧延により得ることができる。
【００１５】
使用されるガラス材料から作られた一体式基材の厚さは、一般に少なくとも２ｍｍであり、特に少なくとも２．５ｍｍ、とりわけ約３〜３０ｍｍであって、有利には１５ｍｍ未満、特に約３〜１５ｍｍ、とりわけ３〜１０ｍｍである。
【００１６】
使用される基材のガラス材料は、有利には、高温に対して耐性であり、及び／又は０又は実質的に０の膨張係数（例えば１５×１０−７Ｋ−１未満）を示し、特にガラスセラミック又は強化された（特に化学的に又は熱的に強化された）ガラスであるのが有利である。好ましくは、基材は、下記で明らかに示すように、有利には不透明であり及び／又はあまり透過性でなく、その一方で、散乱性で且つ十分に明るく（明るさは明度指数Ｌ＊により与えられる）、ガラス材料は特にバルクで彩色又は着色されている（この色合いには、白色及び明度指数Ｌ＊が１０より大きいすべての色が含まれ、より暗い色、例えば黒色又は暗褐色、は除外される）。
【００１７】
使用されるガラスセラミックは、特に、次の特許文献、すなわち欧州特許出願公開第１３００３７２号明細書、米国特許第６７０６６５３号明細書、国際公開第９９／０６３３４号、国際公開第２００７／１１３２４２号、欧州特許出願公開第１８４００９３号明細書、米国特許出願公開第２００７／０２１３１９２号明細書、米国特許第７４７６６３３号明細書、特開２００９−５３１２６１号公報、国際公開第２０１２／１５６４４４号、国際公開第２０１２／００１３００号、独国特許出願公開第２０２０１２０１１８１１号明細書に記載されているような組成を有することができ、このガラスセラミックは特にリチウムアルミノケイ酸塩ガラスセラミックであり、そしてまた着色剤を含むのが有利である。
【００１８】
例えば、質量％として表して下記の範囲内の、下記の構成成分を含むガラスセラミックを使用する、及び／又は下記の組成を有するガラスから出発するセラミック化により得られるガラスセラミックを使用するのが有利である。その構成成分、組成とは、ＳｉＯ２：５２〜７５％、Ａｌ２Ｏ３：１８〜２７％、Ｌｉ２Ｏ：２．５〜５．５％、Ｋ２Ｏ：０〜３％、Ｎａ２Ｏ：０〜３％、ＺｎＯ：０〜４％、ＭｇＯ：０〜５％、ＣａＯ：０〜２．５％、ＢａＯ：０〜３．５％、ＳｒＯ：０〜２％、ＴｉＯ２：０〜５．５％、ＺｒＯ２：０〜３％、Ｐ２Ｏ５：０〜８％、Ｂ２Ｏ３：０〜５％であり、好ましくは、ＳｉＯ２：５５〜７０％、Ａｌ２Ｏ３：１８〜２４％、Ｌｉ２Ｏ：２．５〜４．５％、Ｋ２Ｏ：０〜２．０％、Ｎａ２Ｏ：０〜２．０％、ＺｎＯ：１．５〜４％、ＭｇＯ：０．２０〜５％、ＣａＯ：０〜１％、ＢａＯ：０〜３％、ＳｒＯ：０〜１．４％、ＴｉＯ２：１．８〜５％、ＺｒＯ２：０〜２．５％、Ｐ２Ｏ５：０〜８％、Ｂ２Ｏ３：０〜５％であって、この組成はまた、該当する場合には、追加の着色剤も含む。
【００１９】
ガラスセラミックは、ヒ素で清澄されたもの（すなわち約０．２〜１．５質量％の酸化ヒ素（Ａｓ２Ｏ３として表される）を含む組成を（マザーガラスが）有するもの）てよく、又はヒ素で清澄されていなくてもよく（特に０．２％未満、とりわけ０．１％未満、実際のところさらには０の酸化ヒ素含有量を示す）、あるいはスズで清澄されているか又は硫化物で清澄されていてもよく、そして圧延により又はフロートガラス法により得ることができる。
【００２０】
ガラス材料は、仏国特許出願第１２６０３５４号明細書に記載されているような、非セラミック化強化ガラス、例えばそのバルクで着色された強化リチウムアルミノケイ酸塩ガラス、さもなければ、有利には着色された、別のタイプ（ソーダ石灰、ホウケイ酸塩など）の強化ガラスであることもできる。
【００２１】
ガラスセラミック又は強化ガラスは、本発明の規定において示される選択された特性を示すガラス材料を得ることを可能にする処理温度及びサイクルを用いて、上記文献に記載されたそれぞれの方法によって得られる。ガラスセラミックの場合、これらの方法は、好ましくは、以下に説明するとおり、本発明によって必要とされる大型の平らな基材を得るために、普通に使用される通過速度、セラミック化炉の長さ及び前記炉内の滞留時間に対して、速度を少なくとも２５％、好ましくは少なくとも５０％低下させることにより、あるいは長さ又は時間を少なくとも２５％、好ましくは少なくとも５０％増加させることにより変更される。
【００２２】
本発明により規定されるように、ワークトップを形成する基材は、該当する場合には（ＴＬがゼロでない／不透明でない基材については）１０を超え、好ましくは１３を超え、有利には９７以下の明度指数Ｌ＊、１５％を超え、特に５０％を超える曇り度、６０％未満、特に５０％未満の光透過率ＴＬ（該当する場合、この光透過率は、完全に不透明なガラス材料の場合にはゼロであることが可能である）、及び３０を超え、好ましくは９０を超える不透明度（この不透明度は１００以下である）を示すように選択される。基材は、可能性のある局所的装飾又は表面に適用された局所的構成要素を除いて、その表面の大部分にわたって（特に少なくとも８０％、実際のところさらには１００％にわたって）、これらの特性を示す。これらの特性は、一般には、いかなるコーティングも存在しない基材自体を形成しているガラス材料のものであるが、該当する場合には、ガラス材料とその主面の一方及び／又は他方の大部分にわたり適用されたコーティングとの組み合わせから得られるものであってもよい。有利には、それはガラス材料から作られた基材の固有の特性であり、すなわち、ガラス材料から作られた前記基材はいかなるコーティングも存在することなくそれ自体がこれらの特性を示す。
【００２３】
明度指数Ｌ＊は、ＣＩＥ表色系で定義される成分であって、不透明な白色背景上に配置された基材の上面上で、特にＢｙｋ−Ｇａｒｄｎｅｒ社のＣｏｌｏｒ  Ｇｕｉｄｅ  ４５／０比色計（反射の比色分析）を用いて、既知の方法で評価される。
【００２４】
曇り度は、光散乱のレベルを評価するものであり、本発明との関連で言えば、５５０ｎｍに等しい波長での全透過率に対する拡散透過率の比であるとして定義される。この曇り度は、例えば、光透過率測定に使用される積分球を備えた分光光度計を用いて評価され、光透過率がゼロでない／不透明でないガラス基材について評価される。
【００２５】
光透過率ＴＬは、光源Ｄ６５を使用して標準規格ＩＳＯ  ９０５０：２００３に従って測定され、直接の透過及び可能性のある拡散透過の両方を考慮した全透過率（可視領域で積分された）であって、測定は、例えば、積分球を備えた分光光度計を使用して行われ、所定の厚さでの測定値を、該当する場合には、後に標準規格ＩＳＯ  ９０５０：２００３に従って４ｍｍの基準厚さに変換する。
【００２６】
不透明度（又は不透明率又は不透明係数）Ωは、本発明では、式Ω＝１００−ΔＥ＊によって求められ、そして色度の偏差ΔＥ＊を測定すること（Ｂｙｋ−Ｇａｒｄｎｅｒ社のＣｏｌｏｒ  Ｇｕｉｄｅ  ４５／０比色計を使用して実施される反射光の測色）により評価され、ΔＥ＊は、不透明な白色背景上に配置された基材について、基材の上面における反射で測定した色度と、不透明な黒色背景上に配置された基材についての色度との差に対応している（ΔＥ＊＝（（ＬＢ＊−ＬＷ＊）２＋（ａＢ＊−ａＷ＊）２＋（ｂＢ＊−ｂＷ＊）２）１／２であって、ＬＷ＊、ａＷ＊及びｂＷ＊は、１９７６年にＣＩＥにより制定された表色系における白色背景上での第一の測定の色座標であり、ＬＢ＊、ａＢ＊及びｂＢ＊は黒色背景上での第二の測定の色座標である）。
【００２７】
先に規定したとおりの本発明による基材は、特に、比較的明るくて散乱性の不透明な（及び／又はあまり透過性でない）着色された外観を有し、特にバルクで彩色又は着色されていて、この色合いには、白色及び明度指数Ｌ＊が１０より大きいすべての色が含まれ、より暗い色、例えば黒色又は暗褐色、は除外されて、この材料は、とりわけ、後に詳しく説明するように投射による表示を可能にし、特に、上方に配置された光源との組み合わせでもって、装飾又は照明ゾーンを表示することを可能にし、またこの材料は、下方に配置された任意選択的な要素を１つの同じ工程でもって隠す。有利には、基材を形成するガラス材料は、半透明又は不透明（特にそれは６０％未満、とりわけ５０％未満の光透過率を示す）であり、特にそれは白色、クリーム色、実際のところさらにはグレー色、紫色、又は別の色（黒色と暗褐色は除く）で、半透明又は不透明であることができる。
【００２８】
基材は、好ましくは、一般に残留ガラス相中にβ−スポジュメン構造の結晶を含み、膨張係数の絶対値が特に１０×１０-7〜１５×１０-7／℃程度であって、そして上述の特性を示す、半透明又は不透明の白色又はクリーム色のガラスセラミックをベースとしており、例えばユーロケラ社によりＫｅｒａＷｈｉｔｅ、ＫａｒａＷｈｉｔｅ  ＴＣ又はＫｅｒａＢｉｓｃｕｉｔの名称で販売されるプレートのガラスセラミックなどをベースとする。
【００２９】
基材又はガラス材料は、該当する場合には、特定の色合い（例えば、紫、緑、グレーなど）を与える着色剤、例えば酸化バナジウム、酸化鉄、酸化コバルト、酸化セリウム、酸化セレン、酸化クロム、実際のところさらには酸化ニッケル、酸化銅及び／又は酸化マンガンなどを、好ましくは１０質量％未満の含有量で、含むことができる。
【００３０】
それとは別に、又はそれとともに、ガラス材料は、それ自体の色合い（あるいは固有の色合い）とは別の色合いを与えるコーティングを設けられていてもよく、例えばその主面のうちの１つ（特に下面）の少なくとも一部分又は大部分又は全体にわたって塗料の少なくとも１つの層、例えばピスタチオ、グレー、青、黄、赤などの色の塗料の少なくとも１つの層、を設けられていてもよい。使用する塗料は、好ましくは、３５０℃を超える（一般には３５０℃と５００℃の間の）耐熱性を示し、そして例えば、シリコーン樹脂、特にシリコーンアルキド樹脂（すなわちアルキド樹脂を取り込むことによって変性された１種以上のシリコーン樹脂）をベースとしており、実際のところさらには、２００℃未満の低温用途向けに、例えばエポキシ又はポリウレタン樹脂などの、他の樹脂をベースとしていてもよく、この塗料は、例えば色素、好ましくはエナメルのための色素を（５０ｗｔ％を超えない割合でもって）、所望される色合いに応じて含む。後に示すように、（この目的のため又はそのほかのために、例えば装飾パターンのために）他のコーティングを、例えばエナメル、薄い層を、使用することもできる。
【００３１】
種々のゾーン及び／又は要素及び／又は機能及び／又は装飾を、本発明の規定に記載されているような少なくとも１つの光源によって表示することができ、この光源は、作動すると、一定の又は可変の色及び／又は寸法の発光パターン（特にディスク、円形、十字形、三角形などのタイプのもの）の表示を可能にする。他の非発光性のパターン（非幾何学的な装飾などを含めて、任意のタイプのもの）が、特に、例えばエナメル又は場合によっては塗料で製作される、層（とりわけガラスセラミックの装飾のために使用されるようなもの）の被着により得られるものが、プレートの表面に（特に、コーティングのタイプに応じて上面に、又は場合により下面に）、恒久的に存在してもよい。
【００３２】
好ましい実施形態では、そして特に、基材が不透明であるか、又は非常に低い光透過率（３２％未満、特に１０％未満、実際のところさらには５％未満の）を有する場合には、１つ以上のゾーン及び／又は要素及び／又は機能及び／又は装飾が、本発明の規定に記載されるような少なくとも１つの光源により、該光源の作動時に、表示され及び／又はそれを用いてもしくはそれにより明示され、該光源は基材の上方（使用位置いおいて）又は基材の目に見える面の側（あるいは表示が所望されるか又は見られるべき側）にあって、スクリーンを形成しているこの表面／外面上に（直接）投射することによる光表示を可能にする。本発明により規定される基材は、このタイプの表示に特によく適している。
【００３３】
別の実施形態では、少なくとも５％の光透過率ＴＬを示す基材について、１つ以上のゾーン及び／又は要素及び／又は機能及び／又は装飾を、本発明の規定に記載されるような少なくとも１つの光源を用いて又はそれによって、該光源の作動時に（追加して又は二者択一的に）表示及び／又は明示することができ、該光源は、基材の下に（使用位置において）配置されて、作動停止時に基材により隠され、また該光源はワークトップを透過することによる光表示を可能にする。
【００３４】
１つ以上の光源は、特に、制御手段又はゾーンの（キー、ロゴ、実際のところさらにはキーボードなどの形での）表示を可能にすることができ、それらは、例えば、トップの表面との接触により（例えば、表面の下にあるセンサを使用して）、又は遠隔的に（特に無線通信によって）、実際のところさらには単純な手の動作により（該当する場合には外部にあって、例えば三角測量により、動作を記録して、特に適切なアルゴリズム及び適切なインターフェースを使用してそれを例えば機能の作動に変換するセンサによるなどして）、又は、該当する場合には、プレートの所定の場所に所定の物品を配置することにより、作動させることができる。光源はまた、例えば、装飾の表示を可能にすることもでき、あるいは、適切なインターフェースを使用する無線通信などによってダウンロードして光源からプレートの表面へ投射又は伝送される種々のデータの表示（例えば、コンピュータページの表示、料理レシピの表示など）を可能にすることもできる。
【００３５】
該当する場合には、本発明による物品は、いくつかのゾーンの照明のため、又は複雑な文字情報又は装飾の表示のため、又は照明を均一にするために、複数の光源を含むことができる。これらの光源は、望ましくない反射又は陰影なしに所望の効果を得るために、種々の照明軸及び照明角度に沿って配置することができる。特に、スクリーンを形成しているトップ上への投射による照明では、例えば、ワークトップを使用している人により投げかけられる影の影響を最小限にするために、各光源（又は、ワークトップに向けて光を送る各要素、例えばミラー）とワークトップに対する法線との間の角度が、５°と６０°の間、好ましくは３０°と４５°の間となるように、複数の光源が配置される。
【００３６】
光源は、特に嵩、有効性、耐久性及び周囲条件に対する耐性の理由から、有利には発光ダイオードによって形成することができ、及び／又は、他のタイプの光源、例えばハロゲンランプ又は白熱ランプ、レーザ又は液晶スクリーンであることができ、該当する場合には、光源をレンズ又はミラーなどと組み合わせて使用することが可能である。
【００３７】
ダイオードは、有利には、特に一方向に発光する、無機材料から作られた半導体チップタイプのもの（ＬＥＤ）であって、カプセル封止することができ、すなわち、半導体構成要素及び該半導体構成要素をカプセル化するパッケージ（例えばエポキシ又はナイロンタイプの樹脂から作られる）を含むことができる。これらのダイオードはまた、例えば約１００μｍ又は１ｍｍの大きさで、場合により最小限の（例えば保護用の）カプセル化がなされた、コリメータレンズなしの半導体チップであってもよい。
【００３８】
ダイオードは、該当する場合には、支持体又はバー又は台座によって支持することができ、この台座は、より良好な発光効率のために処理された及び／又は反射性にされた、例えばラッカー又は塗料及び／又は鏡面層がコーティングされ、及び／又は白色もしくは金属反射体と結合された、（平坦な又は傾斜した）表面を有することが可能であり、それによってより良好な光線放射方向を得ることができる。
【００３９】
該当する場合には、特に電極間に有機半導体層を重ね合わせたものからなり、有機層を通り抜ける電気がとる経路に従って１つのピクセル内に種々の色を生じさせる有機発光ダイオード（ＯＬＥＤ）を使用することも可能である。
【００４０】
各光源又は複数の光源の（支持体との、例えば、ワークトップの上方につり下げられたレール又は装置などの設備機器の一部又は外部部品（前記設備機器と連係している）との、あるいは該当する場合には基材との）組み立ては、はんだ付け、クリップでの締結、接着結合などにより、該当する場合には別の要素を介して、行うことができ、例えば、金属の異形要素の底部にそれ自体が収容された支持体にはんだ付けされたダイオードを、異形要素のクリップ締結又は接着結合によって取り付けることが可能である。光源の（特にプレートに対する）位置決めは、基材上の表示（有利には、スクリーンとして働くプレートへの（特に上方からの）投射による、又は任意選択的に、基材が完全に不透明でない場合にはガラスセラミックを通しての）を可能にするために、調節される。
【００４１】
光源及びその電源と作動手段は、要求に応じて、所望の照明ゾーンの同時又は個別の照明を可能にするように切り離されてもよく、又は切り離されなくてもよい。各光源は、単色（純色）であっても又は多色（混合色）であってもよい。
【００４２】
「単色光源」とは、可視波長範囲内に単一の発光ピークを示し、ピークの幅が１〜１００ｎｍ、好ましくは５〜５０ｎｍの範囲にあるような光源を意味するものと理解される。
【００４３】
「多色光源」とは、可視波長範囲内に異なる波長の少なくとも２つの発光ピークを示す光源を意味するものと理解される。この場合、異なる波長間の混合の結果、（網膜により）知覚される色が得られる。それは、主発光ピーク及び別の発光ピーク、例えば主ピークよりも幅が広くて一般により低輝度の蛍光発光ピーク、を示す発光スペクトルを有するＬＥＤ及び／又はＬＥＤ表示デバイスであることができる。多色ＬＥＤは、特に４００ｎｍと５００ｎｍの間に含まれる第一の発光（高強度又は低強度のもの）に応じて及び５００ｎｍを超える可視領域の第二の発光（高強度又は低強度のもの）に応じて発光する（例えば、少なくとも１つのエレクトロルミネセント結晶及びフォトルミネセント蛍光体から形成されたＬＥＤの場合）。特に、光源としては、白色ＬＥＤを使用することができ、また、例えば、（赤、緑及び青の３つの光源を有する）「ＲＧＢ」タイプの、独立に調整された強度を有する３つの単色光源から形成された、多色発光のＬＥＤを使用してもよい。
【００４４】
１つ又は複数の光源を、１つ又は複数のディスプレイタイプの構造体（例えば「７セグメント」の発光ダイオード又は液晶ダイオードを含む）に、デジタルディスプレイ付きの接触感受性電子制御パネル又はスクリーンに（該当する場合には、インターフェースを使用する無線通信により）、一体化させ、結合させ又は組み合わせてもよく、又は上述したような吸引フードなどの、別の装置に一体化させてもよい。
【００４５】
本発明による物品は、光源とは別に、物品の一方の部分から他方へ（特に全内部反射によって又は金属反射によって）光を伝搬させることを目的とする少なくとも１つの導波路も含むことができ、該当する場合、光源がワークトップの下に置かれたときには、各光源は当該導波路に結合され、そしてその光線を導波路が導波するように導波路内にその光線を放射することによってそれと相互作用し、光源は、例えば、導波路の縁面又は端部に放射し／結合される。この導波路は、有利には透き通っており又は透明であり、例えばプレートの下面の下に、追加する（別々に設計された後に集成する）ことができる。それは、有機及び／又はプラスチック（例えばポリカーボネート又はポリメチルメタクリレートＰＭＭＡ製である）でよく、又は無機（例えばそれはガラス製であることができる）でよい。本発明による物品は、１つ以上の照明ゾーンにそれぞれ専用のいくつかの導波路、又は該当する場合には開口部を備えた単一の導波路、を含むことができる。導波路は、基材上に直接、あるいは設備機器又は支持体の別の部分に、組み込むことができ、例えばワークトップが載っているケーシングと一体化することができる。導波路は、とりわけ、所望の照明ゾーンのところまで光をより良好に伝導するのを可能にする。
【００４６】
特に、該当する場合において、少なくとも１つの導波路に連係している１つ以上の光源をワークトップの下に配置する場合には、設備機器は、照明ゾーンに、光源により放出される放射線を取り出すための少なくとも１つの手段、例えば、１つ以上の散乱要素又は処理部、特に表面に追加された層、及び／又は導波路の表面（局所的表面又は全表面）又は取り出し面の何らかの差別化した処理部又は構造化、例えばレーザエッチング、エナメルの印刷、化学的エッチング（酸などでの）又は機械的攻撃（サンドブラスト処理など）によるもの、を含むこともできる。取り出し面は、該当する場合には、例えば内部レーザエッチング技術により、導波路の厚さ内に設けられる。導波路の端部の幾何学形状及び粗さを、光の局所的且つ制御された取り出しを可能にするために、機械加工することもできる。１つ以上の取り出し手段は、導波路から所望の照明ゾーンへの放射線の取り出しを可能にする。それらは、該当する場合には、照明ゾーンを対象とすることを可能にする別の処理、例えば基材の面の一部に被着させる掩蔽スクリーン印刷（特定のゾーンをマスキングして光の通過を妨げる）と、組み合わせることができる。
【００４７】
該当する場合には、設備機器は、選択された色を有する着色発光領域を形成するように、少なくとも１つのフィルタ（少なくとも１つの光源に（操作時に）連結される）を含むこともでき、このフィルタは一般に、光源とプレートとの間に配置され、そして特に、光源と、及び／又は別の中間的要素と、及び／又は該当する場合にはプレートと、組み合わせる（又は一体化する）ことができる。
【００４８】
「フィルタ」とは、光学フィルタ（光の透過に対して作用するもの）、特に着色光学フィルタ（波長に応じて波長の透過に対して作用を及ぼす）を意味するものと理解され、このフィルタは特に、概して平らな要素又は材料であり、特にフィルム又は層又は複合材の形態であって、少なくとも１種の有機又は無機材料をベースとし、その材料は（半）透明であり（特に、可視領域の特定の波長では透明であり、そのほかでは遮ること、影響を及ぼすことにより透明でないという意味で）、とりわけ、可視スペクトルの特定の波長を吸収及び／又は反射及び／又は再放射することを可能にする。このフィルタは、特に、吸収によるフィルタ（光の透過に対する作用が特定の波長での吸収により起こり、特に吸収された光を熱に変換し及び／又は他の波長で発光することを可能にする）であることができ、あるいは反射によるフィルタ（光の透過に対する作用が特定の波長での反射により起こる）であることができる。フィルタは、少なくとも１つの光源に、及び／又は別の中間的要素に、実際のところさらにはワークトップに、追加（別個に製造される）して組み合わせることができ、あるいは、前記光源及び／又は前記要素及び／又は前記トップと一体にするか又はその上に、例えばインクジェット印刷により印刷した印刷層の形態で、直接製造することができる。光源により放射された放射線は、この組立体と組み合わされた基材上に又はそれを通して所望の表示を生じさせるために、この補正フィルタを通過する。フィルタは、種々の色を生じさせること、例えば白色の、又は複数の波長の混合により得られる混合色の少なくとも１つの着色ゾーンを形成することを可能にする。
【００４９】
本発明による設備機器は、使用する光源（及び該当する場合には使用するフィルタ）及びそれらの位置に応じて、機能的及び／又は装飾的用途を有する１つ以上の発光／表示ゾーンを有することができる。前記ゾーンは、プレートの任意のゾーンにあることが可能であり、また異なる（色、輝度レベルが異なる）いくつかの発光／表示ゾーンを有することが可能であり、及び／又は各ゾーン自体が異なる色を示すことができる。
【００５０】
上記に示したように、本発明による設備機器はまた、トップの少なくとも１つの要素（例えば光源など）と通信するため及び／又はトップの外部にある要素と通信するための、例えば無線通信のための、少なくとも１つのインターフェースを含むこともできる。
【００５１】
この（特にマン−マシン又はマシン−マシン）通信インターフェースは、特に、制御ボタン又はキーから又はそれらを介して光源を制御し又はそれに指令を送ることを可能にするデバイスでよく、これらのボタン又はキーはワークトップに一体化されるか、又は、特に無線通信による指令の場合には、切り離して、取り外し可能又は移動可能であるのが有利である外部要素に設けられる。
【００５２】
好ましくは、インターフェースは、ワークトップの外部にあるユニットとの無線通信を可能にし（このユニットが本発明による設備機器の一部を形成してそれ自体がインターフェースを構成することも可能である）、例えば、光源の遠隔作動及び／又は種々の機能の制御（ワークトップ上のデータの表示など）を可能にし、このインターフェースによって、外部ユニットにより与えられる指令が設備機器の関連構成要素に送られる。インターフェースは、トップ上に位置する制御インターフェース（制御パネル）であることもでき、該制御インターフェースは配線により又は場合によっては無線で、指令をトップの又はトップの外部の他の構成要素（例えば投射による照明のためにトップから離れたところの光源）に送る。
【００５３】
遠隔制御の場合の外部ユニットは、例えばキーボード、タブレット、タッチスクリーン又は携帯電話の形態であることができ、このユニットは静止している（例えば壁に固定されている）こと、あるいは移動可能（該当する場合には、ワークトップ上に配置してもよい）であることが可能である。この実施形態には、特に、ワークトップ上の指跡（ガラス材料上にあっては見苦しく且つ目立つ）を防止する利点がある。特に安全性のために、有利には、無線通信は限定された範囲（例えば設備機器が位置する空間の容積に限定された範囲）のものであるように、及び／又は不在の人による不測の作動を防止するため安全機能を装備するように、設計することができる。無線通信は特に、該当する場合にはブルートゥース（登録商標）、ＷＬＡＮ、Ｗｉ−Ｆｉ、ＲＦＩＤチップなどのタイプのシステムを用いて、電磁波又は電波により行われる。
【００５４】
インターフェースは、既に言及したように、種々の構成要素を作動させるため接触により又はさらには動作により始動される種々の信号を伝えることを可能にすることができる（例えばそれは、このインターフェースに接続され（そして該当する場合にはその一部を形成している）センサによって三角測量により検出された動作を機能の作動（例えばゾーンの照明など）に変換することができる）。それはまた、種々のデータ（例えば、インターネットページ、スクリーンの背景、調理レシピなど）のダウンロード及び／又は送信を可能にすることもでき、これらのデータは、例えば、特にワークトップの表面にそれらを表示することを可能にする光源に送られる。
【００５５】
一般に、少なくとも１つのインターフェースがワークトップの上又は下、あるいはその付近に配置される。本発明による設備機器はまた、例えば異なる要素の作動を可能にする、同一タイプ又は異なるタイプのいくつかのインターフェースを含むこともでき、あるいは設備機器は、該当する場合には、より高レベルの安全性を備えた１つの同一要素を管理するために、異なる機能を果たす（構成が異なり、異なる周波数で動作するなどの）いくつかのインターフェースを含むことができる。インターフェースは、センサ、コネクタ、制御要素、任意の他の電気的もしくは電子的もしくは電磁気的構成要素などから形成することができる。
【００５６】
好ましくは、本発明による設備機器は、特に基材の光透過率ＴＬが低い（特に１０％未満の）場合に、無線通信による種々のゾーン及び／又は基材の機能の作動のために、少なくとも１つの外部要素との通信のための少なくとも１つのインターフェースを含む。
【００５７】
インターフェースとは別に、設備機器又はワークトップは、種々のケーブル、コネクタ又は他の要素、特に電気的な種類のものを、備えることができ、それらは設備機器の１つの部品から他のものに指令を送るのに寄与する。
【００５８】
本発明による設備機器、特にワークトップはまた、種々の機能性及び／又は装飾性コーティングを含むこともでき、該コーティングは、特に、当該ガラス材料とともに一般に使用されるものであって、例えばエナメル、塗料、薄い（例えば金属、誘電体などの）層などをベースとする。例えば、基材の面の１つは、１つ以上のエナメル層又は１つ以上のエナメルパターンを含むことができ、それは装飾目的のためのもの、及び／又は１つ以上の要素（ディスプレイデバイスなど）を表示するためのもの、及び／又は有色層として働く（上方から見たときに）ため、あるいはマスキング層として働く（例えば、光源が直接目に見えるのを防ぐためであるが、このマスキング層は本発明に従って選択される基材にあっては必須ではない）ためのもの、及び／又は他の機能のためのもの（光取り出し手段としての、又は照明を均一化するためなどの）である。特に、ワークトップは、それに１つ以上の追加の特性を与える、例えば耐引掻き性、機械的強化、耐指紋性、耐オーバーフロー性などを与える、機能層を備えることができる。コーティングは、例えば、スクリーン印刷、陰極スパッタリング又は空気噴霧による被着、インクジェット印刷、エナメルジェット印刷などの方法によって形成することができ、特にコーティングのタイプ及び所望の機能に応じて、目に見える面又は反対面にコーティングを施すことが可能である。例えば、エナメルによる装飾の場合には、エナメルは好ましくは、特に視認性の理由から上面に被着される一方で、エナメル又は塗料から製作される着色層は好ましくは、特に摩耗に対するより良好な保護などのために反対側の目に見えない面に被着される。
【００５９】
上記のとおり、ワークトップ（又は少なくともその一部分）の装飾又は表示は、既に上述したように、光表示により（コーティングの被着によるよりも）、特にスクリーンを形成するトップ上に光を投射することにより、有利に得ることもできる。
【００６０】
本発明はまた、本発明による設備機器、特に該設備機器のワークトップの製造方法であって、このワークトップが０．７ｍ２より大きな表面積を有する少なくとも１つのガラスセラミック基材から形成される場合に、該基材を得るために０．７ｍ２より大きな表面積を有するガラスプレートの少なくとも１サイクルのセラミック化を行い、そして０．４ｍ２未満の表面積を有するガラスセラミック基材を得るために最適の又は通常の通過速度、セラミック化炉の長さ又は前記炉中の滞留時間のそれぞれに対して、通過速度を少なくとも２５％、好ましくは少なくとも５０％低減させ、又はセラミック化炉の長さ又は滞留時間を少なくとも２５％、好ましくは少なくとも５０％増加させる方法に関する。
【００６１】
念のために言い添えると、ガラスセラミックプレートは一般に次のように製造される。ガラスセラミックを形成するために選択された組成のガラスを溶融炉で溶融させ、次いで溶融したガラスを、成形ローラの間を通過させることにより圧延して標準的なリボン又はシートにし、そして該ガラスリボンを所望の寸法に切断する。圧延の代わりに、国際公開第２００８／０５６０８０号などに記載されるように、ガラスをフロートガラス法により製造してもよく、該当する場合にはその後で切断する。その後、すでに切断されているか又はまだ切断されていないプレートを、それ自体は既知の方法でセラミック化する。このセラミック化は、ガラスを「ガラスセラミック」と呼ばれる多結晶材料へ変えるために選択される温度プロファイルに従ってプレートを焼成することからなり、該ガラスセラミックの膨張係数は０であるか又は実質的に０であり、そしてそれは７００℃までの範囲に及び得る熱衝撃に耐える。セラミック化は一般に、概してガラスが転移する範囲の付近にある核形成範囲まで温度を徐々に上昇させる段階、核形成範囲を継続して数分間通過させる段階、セラミック化固定相の温度まで新たに温度を徐々に上昇させる段階、セラミッ化固定相の温度を数分間維持する段階、及びその後周囲温度へ急速に冷却する段階を含む。該当する場合には、この方法はまた、ウォータージェット、切断ホイールでの機械的マーキングなどによる切断操作（一般にセラミック化前における）、その後の付形操作（研削、面取りなど）も含む。この方法はまた、特定の突出部を形成するために、圧延又は重力曲げの段階を含むこともできる。
【００６２】
本発明では、ガラスセラミックは、それに所望の特性、特に比較的明るくて散乱性である半透明又は不透明の外観を与えるセラミック化サイクルに付される。
【００６３】
他の有利な特徴及び詳細は、添付の図面を参照した下記における本発明の非限定的実施形態の説明から明らかになろう。
【図面の簡単な説明】
【００６４】
【図１】本発明による設備機器の模式斜視図である。
【図２】同様の設備機器の模式上面図である（表面にある調理用具や什器の下にある要素は示していない）。
【発明を実施するための形態】
【００６５】
この例では、本発明による設備機器（１）は、ガラスセラミックから作られた少なくとも１つの一体式基材（６）から形成されたワークトップ（５）を上に載置したケーシング（４）から作製された什器（２）を含み、この基材はワークトップの表面の大部分（この場合にはすべて）（上面上で測定される）を占めている。この基材は、例えば、ユーロケラ社によりＫｅｒａＷｈｉｔｅ  ＴＣの呼称で販売されているタイプの半透明の白色プレートであって、このプレートは、表面積が１．８ｍ２であり、滑らかな上面と滑らかな下面（この面はティアドロップを備えることも可能である）を有し、厚さが６ｍｍであって、そして８７．５６の明度指数Ｌ＊、９８．１の曇り度、２７．８％の光透過率ＴＬ及び９４．８の不透明度を示す。この基材は、例えば、国際公開第９９／０６３３４号におけるようにするが、セラミック炉の通過速度を５０％低減させて、得られる。
【００６６】
この基材はまた、該当する場合には、着色されていてもよく、あるいは基材に色合いを与えるため下面に樹脂の層を設けられていてもよく、例えばグレーの色合いを与えるシリコーン樹脂をベースとした塗料の被膜を設けられていてもよく、ワークトップ（コーティングされた基材）は例えば、７９．４５の明度指数Ｌ＊、１００％の曇り度、１．５３％の光透過率ＴＬ及び９９．９４の不透明度を示す。この被膜は、ガラスセラミック基材を作製後にそれに適用されたものである。
【００６７】
あるいはまた、この基材は、例えば、ユーロケラ社によりＫｅｒａＢｉｓｃｕｉｔ  ＴＣの呼称で販売されているタイプの半透明のクリーム色のプレートであってもよく、このプレートは、表面積が２．３ｍ２であり、滑らかな上面と滑らかな下面（この面はティアドロップを備えることも可能である）を有し、厚さが４ｍｍであって、そして８２．７の明度指数Ｌ＊、９５．８％の曇り度、２７．８％の光透過率ＴＬ及び９６．７の不透明度を示す。
【００６８】
両方の場合とも、得られたガラスセラミックから作られた基材は２ｍｍ未満の平坦度を示す（得られる平坦度は、０．４ｍ２未満の標準寸法のプレートを得るために上記の特許出願明細書で使用される速度に対して２５％だけ低減した速度では２ｍｍと３ｍｍの間であり、そして変更のない速度では１５ｍｍを超える）。良好な光学特性にとって望ましい平坦度は、とりわけ３ｍｍ未満であり、好ましくは２ｍｍ未満である。
【００６９】
この設備機器は、照明効果のために装飾を目的とし、又は、例えば位置を示す（例えば高温の調理用具を下ろすために）ことを目的として、基材の上方に配置された（そしてワークトップの上にかぶさる）３つの光源（８）を含む。これらの光源は、例えば１つ以上のゾーンを、例えば各位置を画定するより大きな又はより小さな有色の明るい円（９）（該当する場合、これらの色は同一であることも位置に応じて異なることも可能である）を用いて、表示する。光源（８）は、例えば、異形要素中に収容されたシートにより支持される複数のＬＥＤから形成されて、そして例えば、ワークトップにかぶさる装置（１４）に組み込まれる。これらの光源は、ワークトップの照明（局所的な又は完全な）のため、又は種々の情報事項の投射による表示のため、例えばデータ、調理レシピ（１１）などの表示のために、使用することもできる。
【００７０】
設備機器は、例えば光源との、通信のための少なくとも１つのインターフェース（１２）（基材により隠蔽される）をさらに含み、このインターフェースは、プレート又は設備機器の種々のゾーン及び機能の作動のために、例えばタッチタブレット（１３）の形をした、外部ユニットとも無線で通信する。外部ユニットは、有利には移動可能であることができ、そしてワークトップ上に位置することができ（図１）、あるいは種々のゾーン又は機能の遠隔作動のために使用することができる。その代わりに又はそれに加えて、インターフェースは、特に基材の、種々のゾーン及び機能の作動のために、基材（２）の表面に配置された恒久的な制御パネルを含んでもよく、又はそれに接続されてもよい。
【００７１】
設備機器はまた、必要ならば他の要素を含むこともでき、特に電気ケーブル（１５）を（例えば光源を作動させるために）含むことができ、また、ワークトップを支持するケーシングにはめ込まれた、種々の物品を収容するための引き出し（１６）又は戸棚（１７）などを含む。設備機器はその他の要素を含むこともできる。例えば、ワークトップが飾りを含んでもよく、基材を、例えばエナメルから作られた、局所的又は非局所的の恒久的な装飾によりコーティングしてもよく、ケーシングは途切れがなくてよく、又は種々の凹部（例えば凹部（１８）など）を含むことができ、又は他の要素（例えば引き出しなど）を組み入れることができる。ワークトップ（５）は、種々の目的のために、例えば、書きもの（紙及びペン（１９）により表象化されているように）、物品の支持（食器類（２０）により表象化されているように）のため、キッチンテーブル（特に食事することあるいは調理容器（２１）、該当する場合には高温の調理容器を下ろすことを可能にするなどの）として使用するためなどに、使用することができる。該当する場合には、ケーシングに代えて、例えばテーブルのように、支持脚（例えば、壁２２及び２３のみ、又は四隅の４つの脚のみ。この場合、ワークトップの下の設備機器は、好ましくは、基材の下で数センチメートルの厚さを有する局所的な囲いにより隠蔽される）を用いることもできる。
【００７２】
本発明による設備機器は、特に、調理ゾーンのない新規の範囲の双方向型で多用途向けの什器を製造するために有利に使用することができる。
【図１】
2018529071.tif 000003
【図２】
2018529071.tif 000004
【国際調査報告】
2018529071.tif 000005
2018529071.tif 000006
2018529071.tif 000007
2018529071.tif 000008
2018529071.tif 000009
2018529071.tif 000010
2018529071.tif 000011
2018529071.tif 000012
2018529071.tif 000013
2018529071.tif 000014
2018529071.tif 000015
2018529071.tif 000016